(57)【要約】  【課題】沈胴状態では、焦点調節用のレンズ群を撮影光路から直交する方向へ移動させておくようにした、コンパクト化に適した沈胴式のカメラ用レンズ鏡胴を提供すること。  【解決手段】焦点調節用の第３レンズ群１５を取り付けたレンズ枠１６は、その雌ねじをリードスクリュー１３の雄ねじに螺合させていて、コイルばね１８によって反時計方向へ回転するように付勢されている。このレンズ枠１６は、撮影可能状態においては、コイルばね１８の付勢力によって、突出部１６ｅを案内ピン１ａに接触させて、第３レンズ群１５を撮影光路上に配置しているが、沈胴状態となるときには、キー筒２１が撮像装置２側へ移動して、その押動部２１ｅが被押動部１６ｆを押すことにより、両者のカム作用によって、レンズ枠１６を、コイルばね１８の付勢力に抗して時計方向へ回転させ、第３レンズ群１５を、撮影光路上から直交する方向へ移動させるようになっている。【選択図】  図２
2006201601.tif 000002
【特許請求の範囲】
【請求項１】
案内手段を有する本体部材と、前記本体部材に固定されている第１筒と、前記第１筒の内側に配置されており第１駆動手段によって回転させられたとき前記第１筒から被写体側へも出入りさせられその出入りに連動してズーミング用の複数のレンズ群の光軸上での相対位置を変化させる第２筒と、押動部を有していて前記第２筒の内側に配置されており前記第２筒の回転により光軸上で直進往復作動をする第３筒と、雄ねじ部と歯車部とを有しており前記第１筒内において光軸と平行に配置され前記本体部材に対して回転可能に取り付けられているリードスクリューと、前記歯車部に連結されていて前記リードスクリューを往復回転させる第２駆動手段と、前記複数のレンズ群よりも前記本体部材側に配置された焦点調節用のレンズ群を取り付けているほか前記雄ねじ部に噛合した雌ねじ部と前記押動部に接触し得る被押動部と前記案内手段に接触し得る突出部とを有しており前記リードスクリューが撮影時に前記第２駆動手段によって回転されたとき該突出部を前記案内手段に摺接させながら該焦点調節用のレンズ群を光軸上で移動させるレンズ枠と、前記レンズ枠を前記リードスクリューの軸方向へ付勢していると同時に前記突出部を前記案内手段に当接させるように回転方向へも付勢しているコイルばねと、を備えていて、前記第３筒が前記第１筒内に格納されたカメラの不使用状態においては、前記押動部が、前記コイルばねの付勢力に抗して前記被押動部を押すことにより前記レンズ枠を回動させて前記焦点調節用のレンズ群を撮影光路外へ退避させているようにしたことを特徴とする沈胴式のカメラ用レンズ鏡胴。
【請求項２】
前記リードスクリューは、前記雄ねじ部を間にして二つの円柱部を有しており、前記レンズ枠は、前記二つの円柱部に嵌合させた二つの孔を有していると共に、前記雌ねじ部を形成したナット手段を取り付けていることを特徴とする請求項１に記載の沈胴式のカメラ用レンズ鏡胴。
【請求項３】
前記歯車部が別部材として構成されていて、前記リードスクリューの前記本体部材側の一端の近傍位置に取り付けられていることを特徴とする請求項１又は２に記載の沈胴式のカメラ用レンズ鏡胴。
【請求項４】
ズーミング用の前記複数のレンズ群が、第１レンズ群と第２レンズ群であって、該第２レンズ群を取り付けているレンズ枠には、該第１レンズ群側にコイルばねを介してシャッタ装置を取り付けており、該レンズ枠とシャッタ装置は、撮影可能状態においては、該コイルばねの付勢力によって所定の間隔に保たれ、カメラの不使用状態においては、該コイルばねを圧縮して間隔を小さくし、該第２レンズ群の少なくとも一部が、該シャッタ装置の撮影光路用開口部に挿入されるようにしたことを特徴とする請求項１乃至３のいずれかに記載の沈胴式のカメラ用レンズ鏡胴。
【発明の詳細な説明】
【技術分野】
【０００１】
本発明は、ズームレンズを備えた沈胴式のカメラ用レンズ鏡胴に関する。
【背景技術】
【０００２】
ＤＣモータにより、第１レンズ群と第２レンズ群との相対的な間隔を変えることによって、ズーミングを行うようにし、ステップモータにより、リードスクリュー機構を介して第３レンズ群を移動させることによって、焦点調節を行うようにしたカメラ用レンズ鏡胴であって、カメラを使用していないときには、上記のＤＣモータによって、全てのレンズ群を固定の鏡筒内に収容してしまうようにした沈胴式のカメラ用レンズ鏡胴が、下記の特許文献１などによって知られている。そして、そのような構成をした通常のカメラ用レンズ鏡胴は、特許文献１にも記載されているように、第２レンズ群の口径は、第３レンズ群の口径よりも小さく、第１レンズ群の口径は、第３レンズ群の口径よりも大きい。
【０００３】
また、カメラの小型化が進むのに伴い、沈胴式のレンズ鏡胴の場合には、全てのレンズ群を固定の鏡筒内に収容した状態（沈胴状態）のとき、光軸方向の収容長を出来るだけ小さくすることが要求されている。そこで、上記のように、第１レンズ群と第２レンズ群とによってズーミングを行い、第３レンズ群によって、焦点調節を行うようにした沈胴式のカメラ用レンズ鏡胴であって、その沈胴状態においては、第１レンズ群や第２レンズ群を、撮影光路上に配置されたままにある第３レンズ群の径方向位置に移動させておくようにしたものが、下記の特許文献２によって知られている。そして、その構成の場合にも、各レンズ群の口径の大きさの関係は、特許文献１の場合と同じである。
【０００４】
【特許文献１】特開２００３−１３１１１１号公報
【特許文献２】特開２００３−３１５８６１号公報
【発明の開示】
【発明が解決しようとする課題】
【０００５】
ところで、上記したように、特許文献２には、沈胴状態とするときに、その作動に連動して、第１レンズ群及び／又は第２レンズ群を撮影光路上から退避させ、第３レンズ群の径方向位置に移動させるようにした構成が記載されている。しかしながら、第１レンズ群の場合には、特許文献１，２の記載からも分かるように、口径が一番大きく、しかも撮影可能状態においては、鏡胴の一番先端に位置されているため、カメラの前面のデザインを大きく変えてしまうか、鏡胴内に大きな移動スペースを設けるようにしない限り、沈胴の作動過程において、第３レンズ群の径方向位置に移動させるようにすることは至難の業である。現に、特許文献２には、配置上の考え方が示されているだけであって、実施可能な構成は示されていない。
【０００６】
また、特許文献２には、沈胴の作動過程において、第２レンズ群のみを、第３レンズ群の径方向位置まで移動させ得る具体的な構成が記載されている。そして、このように、第２レンズ群を、単に径方向へ退避させるだけではなく、第３レンズ群の径方向位置まで移動させるのには、そうしなくてはならない理由がある。即ち、通常、第２レンズ群は、シャッタ装置や絞り装置と一緒に撮影光路上で作動する構成になっている。そのため、沈胴の作動過程において、シャッタ装置や絞り装置とは別に、第２レンズ群だけを径方向へ退避させたのでは、そのシャッタ装置や絞り装置が邪魔になって、口径の大きな第１レンズ群を第３レンズ群の近くにまで寄せることができないことになる。それだからといって、シャッタ装置や絞り装置までを第２レンズ群と共に径方向へ移動させたのでは、機構が複雑になるばかりでなく、それらの装置の外径は第２レンズ群の外径よりも遥かに大きいため、それらの装置を退避させておくための大きなスペースが必要になってしまう。従って、第２レンズ群を第３レンズ群の径方向位置まで移動させることによって、シャッタ装置や絞り装置を第３レンズ群側に接近させ、第１レンズ群を第３レンズ群側に寄せ得るようにせざるを得ないわけである。
【０００７】
このように、特許文献１，２に記載されているような沈胴式のレンズ鏡胴においては、沈胴状態における光軸方向の収容長を小さくするために、沈胴の作動過程において、第１レンズ群を撮影光路から退避させる構成にすることは、実際問題として無理である。また、第２レンズ群を撮影光路から退避させるように構成する場合には、特許文献２に記載されているように、単に径方向へ移動させればよいというわけにはいかず、第３レンズ群の径方向位置に配置されるように移動させなければならないため、そのように作動させるための複雑な構成が必要になってコストアップになってしまうという問題点がある。
【０００８】
本発明は、このような問題点を解決するためになされたものであり、その目的とするところは、鏡胴ユニットの本体部材に取り付けられた固定筒の一番奥に、リードスクリュー機構によって位置制御される焦点調節用のレンズ群を配置したズーム式のレンズ鏡胴において、撮影が終わりその固定筒に全レンズ群を収容（沈胴）状態にするときは、焦点調節用のレンズ群を撮影光路から径方向へ移動させ、必要な場合には、焦点調節機構をそのまま利用して光軸と平行な方向へも移動させ、そのあとに、ズーミング用のレンズ群を移動させることによって、撮影光路上での収容長を小さくすることができるようにした、構成が簡単であり低コストで実現することの可能な沈胴式のカメラ用レンズ鏡胴を提供することである。
【課題を解決するための手段】
【０００９】
上記の目的を達成するために、本発明の沈胴式のカメラ用レンズ鏡胴は、案内手段を有する本体部材と、前記本体部材に固定されている第１筒と、前記第１筒の内側に配置されており第１駆動手段によって回転させられたとき前記第１筒から被写体側へも出入りさせられその出入りに連動してズーミング用の複数のレンズ群の光軸上での相対位置を変化させる第２筒と、押動部を有していて前記第２筒の内側に配置されており前記第２筒の回転により光軸上で直進往復作動をする第３筒と、雄ねじ部と歯車部とを有しており前記第１筒内において光軸と平行に配置され前記本体部材に対して回転可能に取り付けられているリードスクリューと、前記歯車部に連結されていて前記リードスクリューを往復回転させる第２駆動手段と、前記複数のレンズ群よりも前記本体部材側に配置された焦点調節用のレンズ群を取り付けているほか前記雄ねじ部に噛合した雌ねじ部と前記押動部に接触し得る被押動部と前記案内手段に接触し得る突出部とを有しており前記リードスクリューが撮影時に前記第２駆動手段によって回転されたとき該突出部を前記案内手段に摺接させながら該焦点調節用のレンズ群を光軸上で移動させるレンズ枠と、前記レンズ枠を前記リードスクリューの軸方向へ付勢していると同時に前記突出部を前記案内手段に当接させるように回転方向へも付勢しているコイルばねと、を備えていて、前記第３筒が前記第１筒内に格納されたカメラの不使用状態においては、前記押動部が、前記コイルばねの付勢力に抗して前記被押動部を押すことにより前記レンズ枠を回動させて前記焦点調節用のレンズ群を撮影光路外へ退避させているようにする。
【００１０】
その場合、前記リードスクリューは、前記雄ねじ部を間にして二つの円柱部を有しており、前記レンズ枠は、前記二つの円柱部に嵌合させた二つの孔を有していると共に、前記雌ねじ部を形成したナット手段を取り付けているようにすると、撮影時における焦点調節用のレンズ群の位置精度が好適に得られるようになる。また、前記歯車部が別部材として構成されていて、前記リードスクリューの前記本体部材側の一端の近傍位置に取り付けられているようにすると、部品点数は増えるが、コストは低減される。更に、ズーミング用の前記複数のレンズ群が、第１レンズ群と第２レンズ群であって、該第２レンズ群を取り付けているレンズ枠には、該第１レンズ群側にコイルばねを介してシャッタ装置を取り付けており、該レンズ枠とシャッタ装置は、撮影可能状態においては、該コイルばねの付勢力によって所定の間隔に保たれ、カメラの不使用状態においては、該コイルばねを圧縮して間隔を小さくし、該第２レンズ群の少なくとも一部が、該シャッタ装置の撮影光路用開口部に挿入されるようにすると、沈胴状態における光軸に沿った方向のスペース効率をアップさせることが可能になる。
【発明の効果】
【００１１】
本発明は、鏡胴ユニットの本体部材に取り付けられた固定筒の一番奥に、リードスクリュー機構によって位置制御される焦点調節用のレンズ群を配置したズーム式のレンズ鏡胴において、その固定筒内に全レンズ群を収容（沈胴）状態とするときには、焦点調節用のレンズ群を撮影光路から径方向へ移動させ、必要な場合には本体部材側へも移動させることによって、そのあとの位置まで、ズーミング用のレンズ群を移動させるようにしたので、構成が簡単であって、従来のように、固定筒内に焦点調節用のモータを配置することも可能であり、撮影光路上での収容長を小さくするための構成としては、製品化に極めて適したものである。
【発明を実施するための最良の形態】
【００１２】
本発明の実施の形態を、図示した実施例によって説明する。尚、本発明のカメラ用レンズ鏡胴は、銀塩フィルムを使用するカメラにもデジタルカメラにも採用することが可能であるが、実施例は、デジタルカメラに採用されるものとして構成されたものである。そして、図１は、撮影レンズの沈胴状態を示した断面図であって、概略、図２に示された光軸を通るＡ−Ａ線に沿って切断したものであるが、光軸より上方の断面は、ジグザグに切断したものを展開して示してある。また、図２は、図１のＢ−Ｂ線に略沿うようにして切断した断面図であり、図３は、テレ状態を示した断面図であり、図４は、ワイド状態を示した断面図である。更に、図５は、沈胴状態における要部を説明するための斜視図であり、図６は、沈胴過程における要部を説明するための斜視図である。
【実施例】
【００１３】
先ず、本実施例の構成を、主に図１及び図２を用いて説明する。本体部材１は、図２に示されているような平面形状をしていて、四隅でカメラボディーに取り付けられるようになっている。また、その略中央部には長方形の開口部を有していて、その背面側には適宜な手段によって撮像装置２を取り付けている。周知のように、この撮像装置２は、ＣＣＤなどの固体撮像素子を備えていて、通常は、その被写体側に、ローパスフィルタなどのフィルタ板や、透明なカバー板を配置している。また、本体部材１には、被写体側の面に、案内ピン１ａと、比較的短い３本の柱１ｂ，１ｃ，１ｄと、比較的長い３本の柱が設けられているが、それらのうち、比較的長い３本の柱については、柱１ｅを図２に示し、柱１ｅ，１ｆを図１及び図２に示しているが、残りの１本の柱については、後述の説明によって、どこに設けられているかを理解することができる。
【００１４】
モータ取付板５は、その孔を上記の柱１ｄの先端の小径部に嵌合させ、柱１ｂ，１ｃの先端に、ねじ３，４によって取り付けられている。このモータ取付板５には、ステップモータ６が取り付けられており、その出力軸に取り付けられた歯車７は、図１から分かるように、モータ取付板５と本体部材１の間に配置されていて、柱１ｄに回転可能に取り付けられた歯車８に噛合している。軸受板９は、柱１ｅの先端に対しては、その先端面に形成されている孔にピン１０を圧入することによって取り付けられ、柱１ｆの先端に対しては、ねじ１１によって取り付けられ、明示されていないもう１本の長い軸に対しては、ねじ１２によって取り付けられている。そして、この軸受板９と本体部材１との間には、リードスクリュー１３が回転可能に取り付けられているが、その取付状態を調整し得るようにするために、上記のピン１０は、図１から分かるように、偏心ピンとなっており、ねじ１１，１２によって取り付けるために軸受板９に形成された孔は、図２に破線で示してあるように長孔であって、それらの長さ方向が相互に直交するように形成されている。そのため、調整をするときは、ねじ１１，１２で仮止めをしておいてからピン１０を回転させ、位置が決まってあとに、ねじ１１，１２を更にねじ込むようにする。但し、ねじ１１，１２をピン１０のような偏心ピンにすると共にピン１０をねじにすることによっても、同様な調整は可能である。その場合、軸受板９に形成されていて、そのねじに嵌合する孔は、そのねじに対して緩く嵌合する大きさにすることになる。
【００１５】
リードスクリュー１３は、図１に示すように、略中央部に雄ねじ部１３ａを有していると共に、その雄ねじ部１３ａを間にして二つの円柱部１３ｂ，１３ｃを有しており、本体部材１側の一端に取り付けられた歯車１４を、上記の歯車８に噛合させている。そして、このリードスクリュー１３には、焦点調節用の第３レンズ群１５を取り付けたレンズ枠１６が取り付けられている。このレンズ枠１６は、二つの張出部１６ａ，１６ｂを有しており、それらに形成した孔１６ｃ，１６ｄ（図５，図６参照）を、リードスクリュー１３の円柱部１３ｂ，１３ｃに対し回転可能に嵌合させている。また、それらの張出部１６ａ，１６ｂの間にはナット部材１７を取り付けており（図５，図６では、便宜上、ナット部材１７をその取付部と共に図示を省略した）、そのナット部材１７に形成された雌ねじを、リードスクリュー１３の雄ねじ部１３ａに螺合させている。更に、レンズ枠１６は、第３レンズ群１５の取付部の近傍に突出部１６ｅ（図２参照）を設けており、張出部１６ｂには、さらに張り出させて被押動部１６ｆを設けている。
【００１６】
リードスクリュー１３の円柱部１３ｂにはコイルばね１８が嵌装されていて、その一端を軸受板９に掛け、他端をレンズ枠１６の張出部１６ａに掛けており、図２において、レンズ枠１６を反時計方向へ回転させるように付勢している。図２においては、レンズ枠１６が、そのようにして反時計方向へ回転させられ、突出部１６ｅを、本体部材１に設けられた案内ピン１ａに当接させている状態を、二点鎖線で示してある。また、このコイルばね１８は、レンズ枠１６を本体部材１側へも付勢しており、リードスクリュー１３の雄ねじとナット部材１７の雌ねじとの螺合公差によるガタを無くすようにしている。尚、図２においては、コイルばね１８の他端が、レンズ枠１６の被押動部１６ｆに掛けられているかのように示されているが、それは、図面を見やすくするために、張出部１６ａの図示を省略したからであって、実際には、図１に示すように、張出部１６ａに掛けられている。
【００１７】
ここで、リードスクリュー１３に対するレンズ枠１６の組み付け方を説明しておく。本実施例の場合、図面上ではリードスクリュー１３の詳細な形状を理解することができないが、実際には、円柱部１３ｂの直径よりは雄ねじ部１３ａの直径の方が大きく、雄ねじ部１３ａの直径よりは円柱部１３ｃの直径の方が大きく形成されている。そのため、レンズ枠１６の孔１６ｃ，１６ｄの直径とナット部材１７の雌ねじ形成孔の直径も、それらに対応して大きさが異なっている。また、図面を見やすくするために図示を省略しているが、リードスクリュー１３の軸受板９側の端面には、ドライバーの先端を挿入させるスリット溝が形成されている。そこで、先ず、レンズ枠１６にナット部材１７を取り付けた状態にしておき、円柱部１３ｂを、張出部１６ｂの孔１６ｄへ挿入し、順次、ナット部材１７の雌ねじ形成孔と張出部１６ａの孔１６ｃに挿入していく。そして、円柱部１３ｂの先端が張出部１６ａの孔１６ｃに挿入された直後に、ナット部材１７の雌ねじが雄ねじ部１３ａの一端の雄ねじに当接するので、その段階からは、ドライバーを用いてリードスクリュー１３を回転させていくと、図１に示された構成が得られる。尚、本実施例の場合には、リードスクリュー１３は、その直径が、円柱部１３ｂ，雄ねじ部１３ａ，円柱部１３ｃの順に大きくなっていくように形成されているが、その大きさの順序が逆であっても、本実施例の構成を得ることが可能である。
【００１８】
このことからも分かるように、本実施例の場合には、歯車１４をリードスクリュー１３と別部材にし、ナット部材１７をレンズ枠１６と別部材にしているが、必要に応じて、それらを、各々、一部材に製作してもよいことになる。また、本実施例の場合は、撮影時における第３レンズ群１５の位置制御が高精度に行えるようにするために、このような構成を採用しているが、コイルばね１８の付勢力が本体部材１の方向へも作用しているので、ナット部材１７の厚さを大きくして、雄ねじ部１３ａとの螺合長を大きくしさえすれば、リードスクリュー１３に、孔１６ｃ，１６ｄの一方又は両方を嵌合させない構成にすることも可能であり、また、嵌合させる場合であっても、その嵌合公差を厳しくしなくて済むようにすることも可能になる。
【００１９】
このような第３レンズ群１５の取付機構及びその制御機構のほかに、本体部材１の被写体側の面には、図示していない手段によって固定筒１９が一体的に取り付けられている。そして、この固定筒１９の内周面には、その形状が明示されていないが、周知のように、等間隔の角度位置に、後述の回転筒２０が回転しながら光軸方向へも移動することを可能にする三つのカム溝１９ａが形成されている。図１は、それらのうちの二つのカム溝１９ａが分かるように断面して示してある。また、固定筒１９の内周面には、そのような回転筒２０の移動に伴って後述のキー筒２１が光軸方向へ直線的に移動することを可能にするために、光軸と平行な二つのキー溝１９ｂが、カム溝１９ａとは干渉しない角度位置に形成されている。
【００２０】
固定筒１９の内側には回転筒２０が配置されている。この回転筒２０は、撮像装置２側の端部に、所定の角度範囲にわたって、はす歯の部分歯車２０ａを有している。そして、図示していないが、カメラ本体側に取り付けられているＤＣモータによって回転させられる歯車が、固定筒１９に形成された開口部から固定筒１９内に臨んでいて、この部分歯車２０ａに噛合している。また、この回転筒２０の外周面には、等間隔の角度位置に三つのピン２０ｂが設けられていて、それらは固定筒１９に設けられた上記のカム溝１９ａに夫々嵌合している。そのため、回転筒２０は、そのＤＣモータが往復回転すると、それに伴って往復回転させられると共に、固定筒１９のカム溝１９ａに案内されて、光軸方向へも往復作動するようになっている。更に、回転筒２０の内周面には、カム形状の異なる２種類のカム溝２０ｃ，２０ｄ（カム溝２０ｄについては図４参照）が三つずつ形成されているが、それらは、等間隔の角度位置に交互に配置されている。そして、それらのうち、一方の形状をしたカム溝２０ｃは、後述の第２レンズ群２２のレンズ枠２３を光軸方向へ移動させるためのものであり、他方の形状をしたカム溝２０ｄは、後述の直進筒２８を光軸方向へ移動させるためのものである。
【００２１】
回転筒２０の内側には、キー筒２１が配置されていて、回転筒２０が回転すると、光軸方向に直線的に移動するように構成されている。即ち、このキー筒２１の被写体側の端部には、所定の角度位置に可撓性を有する複数のフック部２１ａが形成されていて、それらを、回転筒２０の内周に環状に形成した溝２０ｅに嵌合させている。また、このキー筒２１には、撮像装置２側に二つのキー２１ｂが形成されていて、図１に示すように、それらを固定筒１９の上記の二つのキー溝１９ｂに嵌合させている。従って、このキー筒２１は、回転筒２０が回転しながら固定筒１９のカム溝１９ａによって光軸方向へ移動するとき、固定筒１９のキー溝１９ｂに案内されて、光軸方向へだけ直線的に移動させられることになる。
【００２２】
また、このキー筒２１には、光軸と平行になるようにして、２種類のキー溝２１ｃ，２１ｄ（図４参照）が、等間隔の角度位置に三つずつ交互に形成されている。そのうち、キー溝２１ｃは、後述する第２レンズ群２２を取り付けているレンズ枠２３のピン２３ｂを貫通させ、回転筒２０の上記のカム溝２０ｃに嵌合させ得るようにしている。また、キー溝２１ｄは、後述の直進筒２８のピン２８ａを貫通させ、回転筒２０の上記のカム溝２０ｄに嵌合させ得るようにしている。更に、このキー筒２１には、撮像装置２側の内側に、押動部２１ｅが設けられている。そして、この押動部２１ｅは、図６から分かるように、撮像装置２側に斜面が形成されており、その斜面をカム面として、上記した第３レンズ群１５のレンズ枠１６に形成された被押動部１６ｆと接触し得るようになっている。
【００２３】
第２レンズ群２２は、レンズ枠２３の筒部２３ａに取り付けられている。そして、図２においては、便宜上、そのレンズ枠２３の図示を省略しているが、筒部２３ａだけを二点鎖線で示してある。このレンズ枠２３の外周面にも、等間隔の角度位置に三つのピン２３ｂが設けられていて、上記のように、それらを、キー筒２１のキー溝２１ｃを貫通させ、回転筒２０に設けられたカム溝２０ｃに嵌合させている。そのため、このレンズ枠２３は、回転筒２０が回転すると、ピン２３ｂがカム溝２０ｃに案内されて移動するが、キー筒２１のキー溝２１ｃにも案内されるため、回転筒２０のようには回転せず、光軸方向へだけ直線的に移動する。また、その移動量は、カム溝２０ｃの形状によって、回転筒２０が光軸方向へ移動する量とは異なるし、設計によっては、方向も異なる場合がある。更に、このレンズ枠２３の被写体側の面には、図３においてそれらの一つずつだけが示されているように、三つのフック部２３ｃと三つの案内ピン２３ｄとが設けられている。また、このレンズ枠２３には、図３，図４に示されているように、図１の状態においては、本体部材１の案内ピン１ａに嵌合している孔２３ｅも形成されている。
【００２４】
このレンズ枠２３には、被写体側の面にシャッタ装置が取り付けられている。このシャッタ装置は、相互に取り付けられたシャッタ地板２４と補助地板２５の間にシャッタ羽根２６を配置しており、シャッタ地板２４と補助地板２５には、それらの略中央部に同じ大きさの円形をした撮影光路用の開口部と、上記のレンズ枠２３の案内ピン２３ｄを挿入させる三つの孔が形成されている。また、シャッタ地板２４の被写体側の面には、図示していないシャッタ駆動手段が取り付けられているほか、三つの被押動ピンが設けられている。図２は、そのようなシャッタ地板２４の平面形状を示しているが、そこには、上記の撮影光路用の開口部２４ａと、三つの孔２４ｂと、三つの被押動ピン２４ｃが示されており、その他の詳細な面形状や取付部材については、図示が省略されている。そして、このシャッタ装置は、レンズ枠２３の上記の三つの案内ピン２３ｄに嵌装された三つのコイルばね２７（図３参照）によって被写体側に移動するように付勢されており、その移動を、上記の三つのフック部２３ｃによって規制されるようになっている。
【００２５】
キー筒２１の内側には、直進筒２８が配置されている。この直進筒２８の外周には、等間隔の角度位置に三つのピン２８ａが設けられており、上記したように、それらは、キー筒２１のキー溝２１ｄを貫通し、先端を回転筒２０のカム溝２０ｄに嵌合させている。そのため、この直進筒２８は、回転筒２０が回転すると、ピン２８ａがカム溝２０ｄに案内されて移動するが、キー筒２１のキー溝２１ｄにも案内されることになるため、回転筒２０のようには回転せず、光軸方向へだけ直線的に移動する。また、その移動量は、カム溝２０ｄの形状によって、回転筒２０の光軸方向の移動量とは異なるし、設計によっては方向も異なる場合がある。
【００２６】
この直進筒２８の被写体側には、カバー板２９が取り付けられており、そのカバー板２９にはバリア地板３０が取り付けられている。そして、それらのカバー板２９とバリア地板３０の間には、バリア板３１（実際には複数枚）が配置されており、そのバリア板３１は、図１に示された沈胴状態においては、カバー板２９とバリア地板３０とに形成された撮影光路用の開口部を閉鎖し、図３，図４に示された撮影可能状態においては、それらの開口部を開放するようになっているが、そのようなバリア装置は、本発明とは直接関係がないので、具体的な構成を図示しておらず、説明も省略する。また、この直進筒２８は、第１レンズ群３２を取り付けたレンズ枠３３を取り付けており、撮像装置２側の面には、シャッタ地板２４の被押動ピン２４ｃと対向する位置に三つの押動ピン２８ｂを設けている。
【００２７】
次に、本実施例の作動を説明する。図１及び図２は、カメラの不使用状態を示したものであって、第１レンズ群３２と第２レンズ群２２とは、カメラボディーに固定されている固定筒１９内に収容されており、所謂沈胴状態となっている。このとき、シャッタ装置は、直進筒２８の押動ピン２８ｂによって、その被押動ピン２４ｃを、コイルばね２７（図３参照）の付勢力に抗して押されており、レンズ枠２３との間隔を狭くさせられている。そのため、レンズ枠２３の筒部２３ａは、その先端を、シャッタ地板２４の開口部２４ａ（図１では符号を付けていない）に貫通させており、シャッタ装置が存在しているにもかかわらず、第１レンズ群３２と第２レンズ群２２との間隔を最小限にさせられている。他方、図２に示すように、第３レンズ群１５を取り付けているレンズ枠１６は、キー筒２１の押動部２１ｅにより、その被押動部１６ｆを押されて、コイルばね１８の付勢力に抗して、時計方向へ回転させられている。そして、図５には、このときの、押動部２１ｅと被押動部１６ｆの関係が分かりやすく示されている。このように、この状態においては、第３レンズ群１５は、光軸と直交する方向へ移動させられているため、第２レンズ群２２は撮像装置２に接近させられ、撮像装置２との間隔を最小限にさせられている。
【００２８】
このような沈胴状態から撮影可能状態とするためには、カメラの電源スイッチをオンにする。それによって、図示していないＤＣモータが回転し、部分歯車２０ａを介して回転筒２０を回転させる。それによって、回転筒２０は、回転だけではなく被写体側にも直進させられるが、キー筒２１，レンズ枠２３，直進筒２８は、回転せずに被写体側に直進させられ、第１レンズ群３２と第２レンズ群２２を繰り出していく。また、このとき、回転筒２０とキー筒２１とは同じ速度で被写体側へ移動するが、レンズ枠２３は全体としてはそれらよりも速く、さらに直進筒２８はレンズ枠２３よりも速く移動し、最終的には、図３に示すように、第１レンズ群３２と第２レンズ群２２の間隔が大きくなる。そのため、図３に示した状態では、シャッタ装置は、コイルばね２７の付勢力によって、レンズ枠２３との間隔を大きくし、フック部２３ｃに当接することによって、所定の間隔を維持させられている。
【００２９】
また、上記のように、キー筒２１が被写体側へ直進する過程においては、その押動部２１ｅが、レンズ枠１６の被押動部１６ｆから退いていくことになるため、レンズ枠１６は、コイルばね１８の付勢力によって回転させられる。そのため、レンズ枠１６は、図２に二点鎖線で示したように、その突出部１６ｅを、本体部材１の案内ピン１ａに当接させた状態にさせられ、第３レンズ群１５を撮影光路上にセットする。しかも、図３の状態になる前には、ステップモータ６も回転し、レンズ枠１６は、リードスクリュー１３を含む焦点調節機構によって、図１の状態よりも被写体側へ移動させられることになる。他方、図３の状態になる過程では、図示していない手段によってバリア板３１も作動させられ、第１レンズ群３２の前面にある開口部を開放する。
【００３０】
このようにして、繰り出し作動の終了した状態が、図３に示された初期状態（撮影待機状態）であるが、本実施例の場合には、この初期状態のとき、撮影レンズ（第１レンズ群３２，第２レンズ群２２）は無限遠での撮影可能状態（テレ状態）となっている。そして、撮影を行うに際してズーミングを行う場合には、撮影レンズと連動しているズームファインダを覗きながら、上記の図示していないＤＣモータ（ステップモータであってもよい）を正・逆転させ、固定筒１９と回転筒２０に形成されているカム溝１９ａ，２０ｃ，２０ｄの形状により、直進筒２８とレンズ枠２３とを光軸方向に同時に移動させ、第１レンズ群３２と第２レンズ群２２との相対位置関係を変えるようにする。また、焦点調節は、ステップモータ６を正・逆転させ、リードスクリュー１３を介して、レンズ枠１６を所定の位置まで移動させるようにする。図４は、そのようにして制御された近接撮影可能状態（ワイド状態）を示したものである。
【００３１】
このようにして、撮影が行われた後、もはや撮影を続けないことにした場合は、カメラの電源スイッチをオフにするが、その場合でも遅延回路が働いていて、所定の時間だけはオン状態が継続するようになっており、ステップモータ６と図示していないＤＣモータは、回転し得るようになっている。そこで、ステップモータ６が回転すると、レンズ枠１６は、リードスクリュー１３を介して、撮像装置２側へ直進させられ、第３レンズ群１５を撮像装置２の前面に接近させた状態で停止させられる。他方、図示していないＤＣモータも回転するので、回転筒２０は、回転しながら撮像装置２側へ直進させられ、キー筒２１は、回転せずに撮像装置２側へ直進させられる。また、それによって、レンズ枠２３と直進筒２８も、撮像装置２側に直進させられ、第１レンズ群３２と第２レンズ群２２を沈胴させていく。そして、これらの回転筒２０，キー筒２１，レンズ枠２３，直進筒２８の作動は、レンズ枠１６の作動が停止したあとも続けられる。
【００３２】
そして、この作動過程では、直進筒２８の方がレンズ枠２３よりも全体として速く作動するため、直進筒２８の押動ピン２８ｂが、シャッタ地板２４の被押動ピン２４ｃを、コイルばね２７の付勢力に抗してレンズ枠２３側へ押すことになり、シャッタ装置とレンズ枠２３の間隔を小さくさせてゆく。そのため、第１レンズ群３２と第２レンズ群２２の間隔が小さくなってゆき、最終的には、レンズ枠２３の筒部２３ａがシャッタ地板２４の開口部２４ａに挿入されていく。他方、キー筒２１が、撮像装置２側に直進させられていくと、図６に示されているように、その押動部２１ｅの斜面がレンズ枠１６の被押動部１６ｆに接触し、そのカム作用によって、レンズ枠１６を、コイルばね１８の付勢力に抗して回転させ、第３レンズ群１５を撮影光路上から退避させていく。また、この段階になると、図示していないバリア装置も作動させられ、バリア板３１（実際には複数枚）が第１レンズ群３２の前面を覆っていく。そして、バリア板３１が、第１レンズ群３２の前面にある開口部を閉鎖すると、図示していないＤＣモータが停止し、図１に示された沈胴状態になる。
【００３３】
尚、本実施例の場合は、図１に示した沈胴状態と、図３に示した撮影待機状態とでは、第３レンズ群１５を、撮影光路と平行に移動させるようにしている。その理由は、特別な機構を設けなくても、焦点調節用のリードスクリュー機構を利用することによって、そのような作動を行わせることが可能であり、しかも、それによって、少しでも、沈胴状態における収容長（光軸方向の厚さ）を小さくすることが可能になるからである。しかしながら、本発明は、そのように構成することには限定されず、図３の状態から沈胴状態とする場合には、第３レンズ群１５を、撮像装置２側へ移動させることなく、撮影光路の垂直方向へだけ退避させるように構成しても差し支えない。また、本実施例の場合は、焦点調節用の駆動手段であるステップモータ６が、固定筒１９内に配置されているが、本発明は、そのような配置構成に限定されず、特許文献１に記載されているように、固定筒１９の外に配置しても差し支えない。
【図面の簡単な説明】
【００３４】
【図１】撮影レンズの沈胴状態（カメラの不使用状態）における実施例の断面図であって、概略、図２に示した光軸を通るＡ−Ａ線に沿うようにして切断した図である。
【図２】図１のＢ−Ｂ線に略沿うようにして切断した断面図である。
【図３】実施例のテレ状態を示す断面図である。
【図４】実施例のワイド状態を示す断面図である。
【図５】沈胴状態における実施例の要部を説明するための斜視図である。
【図６】沈胴過程における実施例の要部を説明するための斜視図である。
【符号の説明】
【００３５】
１                              本体部材
１ａ，２３ｄ                    案内ピン
１ｂ，１ｃ，１ｄ，１ｅ，１ｆ    柱
２                              撮像装置
３，４，１１，１２              ねじ
５                              モータ取付板
６                              ステップモータ
７，８，１４                    歯車
９                              軸受板
１０，２０ｂ，２３ｂ，２８ａ    ピン
１３                            リードスクリュー
１３ａ                          雄ねじ部
１３ｂ，１３ｃ                  円柱部
１５                            第３レンズ群
１６，２３，３３                レンズ枠
１６ａ，１６ｂ                  張出部
１６ｃ，１６ｄ，２３ｅ，２４ｂ  孔
１６ｅ                          突出部
１６ｆ                          被押動部
１７                            ナット部材
１８，２７                      コイルばね
１９                            固定筒
１９ａ，２０ｃ，２０ｄ          カム溝
１９ｂ，２１ｃ，２１ｄ          キー溝
２０                            回転筒
２０ａ                          部分歯車
２０ｅ                          溝
２１                            キー筒
２１ａ，２３ｃ                  フック部
２１ｂ                          キー
２１ｅ                          押動部
２２                            第２レンズ群
２３ａ                          筒部
２４                            シャッタ地板
２４ａ                          開口部
２４ｃ                          被押動ピン
２５                            補助地板
２６                            シャッタ羽根
２８                            直進筒
２８ｂ                          押動ピン
２９                            カバー板
３０                            バリア地板
３１                            バリア板
３２                            第１レンズ群
【図１】
2006201601.tif 000003
【図２】
2006201601.tif 000004
【図３】
2006201601.tif 000005
【図４】
2006201601.tif 000006
【図５】
2006201601.tif 000007
【図６】
2006201601.tif 000008